(57)【特許請求の範囲】
【請求項１】
平板状の絶縁性基体と、前記絶縁性基体に該絶縁性基体を貫通して植設されたピンポストとを備えた、ケーブルコネクタに接続されるピンヘッダであって、前記ピンポストのケーブルコネクタに挿入される側の根元には、筒型形状の、頂部外周部に外側方向に延びる突起を有するロッキング部材が嵌め込まれていることを特徴とするピンヘッダ。
【請求項２】
前記ロッキング部材は、弾性限界が鉄よりも大きい合金により形成されていることを特徴とする請求項１に記載のピンヘッダ。
【請求項３】
前記ロッキング部材は、前記ピンポストの軸方向にスリットが形成されていることを特徴とする請求項１または２に記載のピンヘッダ。
【請求項４】
前記ロッキング部材の下部は、概略円錐台若しくは角錐台形状をなすように下部に向かって寸法が広げられていることを特徴とする請求項１から３のいずれかに記載のピンヘッダ。
【請求項５】
前記ロッキング部材の前記突起は、プレス抜き時のバリによって形成されたものであることを特徴とする請求項１から４のいずれかに記載のピンヘッダ。
【請求項６】
請求項１から５のいずれかに記載されたピンヘッダに設置されたピンポストと、ハウジング内にコンタクト導体を収容してなるケーブルコネクタとの接続構造であって、前記ハウジングの下部内側には内側に向かって延びる、前記ケーブルコネクタの装着時に前記ロッキング部材の前記突起が係合するか若しくは前記突起が食込む隆起部が形成されていることを特徴とするケーブルコネクタの接続構造。
【請求項７】
前記ハウジング内に収容されたコンタクト導体が１ないし数本であることを特徴とする請求項６に記載のケーブルコネクタの接続構造。
【発明の詳細な説明】
【技術分野】
【０００１】
本発明は、ピンポストが植設されたピンヘッダおよびピンポストに対するケーブルコネクタの接続構造に関し、特にケーブルコネクタに接続されるピンポストの本数が１ないし数本である場合のピンポストとケーブルコネクタとの接続構造に関するものである。
【背景技術】
【０００２】
情報処理装置などの電子機器において、配線基板間や機器間などの接続をケーブルコネクタを用いて行なうことがある。図８は、従来のピンヘッダとケーブルコネクタとの接続構造を示す斜視図である。ケーブルコネクタ４は、絶縁性材料からなるハウジング内にケーブル３に接続されたコンタクト部材を収容したものである。ピンヘッダ５は、板状で絶縁性材料からなる基材５ｂにピンポスト５ａを植設したものである。基材５ｂに植設されるピンポスト５ａは数１０本のものが多く用いられる。ピンポスト５ａは、１列若しくは２列に配列されるのが一般的である。ケーブルコネクタ４では、ケーブル３に接続されたコンタクト部材がピンポスト５ａと接触して電気的導通が図られている。図示された例では、ケーブルコネクタ４は、１本のピンポストと接触を取る単極のコネクタであるが、同一ハウジング内に収容されるコンタクト部材の数は多様であって、数個の場合もあれば数１０個の場合もある。
【発明の開示】
【発明が解決しようとする課題】
【０００３】
従来のケーブルコネクタの接続方式では、ケーブルコネクタの抜去抵抗力は、ピンポスト５ａとコンタクト部材との接触圧にのみ依存していた。そのため、極数が１０を越える場合には抜去に対してかなりの抵抗力があるものの、単極の場合や極数が少ない場合には、ケーブルコネクタの抜去抵抗力は低くなり、振動や衝撃により容易に脱落してしまうことになる。
本発明の課題は、上述した従来技術の問題点を解決することであって、その目的は、極数が少ない場合であっても容易に脱落することのないケーブルコネクタの接続構造を提供することにある。
【課題を解決するための手段】
【０００４】
上記の目的を達成するため、本発明によれば、平板状の絶縁性基体と、前記絶縁性基体に該絶縁性基体を貫通して植設されたピンポストとを備えた、ケーブルコネクタに接続されるピンヘッダであって、前記ピンポストのケーブルコネクタに挿入される側の根元には、筒型形状の、頂部外周部に外側方向に延びる突起を有するロッキング部材が嵌め込まれていることを特徴とするピンヘッダ、が提供される。
【０００５】
また、上記の目的を達成するため、本発明によれば、ピンヘッダに設置されたピンポストと、ハウジング内にコンタクト導体を収容してなるケーブルコネクタとの接続構造であって、前記ピンポストのケーブルコネクタに挿入される側の根元には、筒型形状の、頂部外周部に外側方向に延びる突起を有するロッキング部材が嵌め込まれており、前記ハウジングの下部内側には内側に向かって延びる、前記ケーブルコネクタの装着時に前記ロッキング部材の前記突起が係合するか若しくは前記突起が食込む隆起部が形成されていることを特徴とするケーブルコネクタの接続構造、が提供される。
【発明の効果】
【０００６】
本発明によれば、ピンポストに装着されたロッキング部材の突起が、ケーブルコネクタのハウジングに係合するかあるいは食込むかするため、ケーブルコネクタがピンヘッダに装着された際に、ハウジングがピンポストに固定されることになる。従って、本発明によれば、極数の少ないケーブルコネクタであっても、振動や衝撃によってピンポストから抜け落ちる事故は防止される。そして、この効果は、従来のピンヘッダとケーブルコネクタの仕様を変更することなく、得られるものである。
【発明を実施するための最良の形態】
【０００７】
次に、本発明の好ましい実施の形態について図面を参照して詳細に説明する。
〔第１の実施の形態〕
図１は、本発明の第１の実施の形態のケーブルコネクタ４の挿入前の状態を示す側面図である。但し、ケーブルコネクタ４の内部構造を開示するためにハウジングを切り開いて示してある。図１に示すように、ケーブルコネクタ４のハウジング２内にはケーブル３に接続されたコンタクト部材１が設置されている。ケーブルコネクタ４下には、絶縁性の基材５ａにピンポスト５ｂが植設されてなるピンヘッダ５が用意されている。ピンポスト５ｂのケーブルコネクタ４に挿入される側の根元には弾性材金属製のロッキングクリップ６が装着されている。
【０００８】
図２は、コンタクト部材１のケーブルが取着される前の状態をを示す斜視図である。コンタクト部材１は、図２に示すように、コンタクト部１ａと、ケーブル把持部１ｂと、ケーブル接続部１ｃとを有する。コンタクト部１ａは、弾性力をもってピンポスト５ｂと接触する部分である。ケーブル把持部１ｂにおいて被覆されたケーブルを把持し、そしてケーブル接続部１ｃにおいてケーブルの心線と“かしめ”により接続される。コンタクト部材１は、銅合金などの導電性の高い材料によって形成されており、少なくともコンタクト部１ａの内側表面には金メッキ等の接点メッキが施されている。
【０００９】
図３は、ハウジング２を示す斜視図である。本実施の形態のケーブルコネクタは２ピン用のものとなっている（ハウジング内に収容されるコンタクト部材が２個）。ハウジング２は、プラスチック製のモールド品であって、ケーブルの接続されたコンタクト部材は、このプラスチック製ハウジング内に図３の右上側の側面から挿入され、ハウジング内に保持される。ハウジング２の左下側には、ピンポストが挿入されるピン挿入口２ｂが開けられており、また図の上側の面にはコンタクト部材をハウジング内に固定するための窓２ｃが開けられている。ハウジング２には、ハウジング２を貫通してコンタクト部材１を収容するための開口が形成されているが、ハウジング２のピン挿入口２ｂの近傍では、ハウジング２の内側に延びる先端隆起部２ａが形成されており、そしてこの先端隆起部２ａの部分では開口の横断面形状は円形となっている。
【００１０】
図４（ａ）は、ピンポスト５ｂに装着されるロッキングクリップ６を示す斜視図であり、図４（ｂ）は、図４（ａ）のＡ−Ａ線での断面図である。図４（ａ）、（ｂ）に示されるように、ロッキングクリップ６には縦方向にスリット６ａが入っている。ロッキングクリップ６の下側部分は、ピンポスト５ｂに容易に挿入できるように円錐台形状のガイド部６ｂとなっており、その上側部分は、ピンポスト５ｂを挟持する円筒形状の加圧接触部６ｃとなっている。そして、加圧接触部６ｃの頂部には外側に突出する突起部６ｄが形成されている。この突起部６ｄは、プレス打ち抜きの際にプレスバリとして形成されたものである。ロッキングクリップ６は、弾性力をもってピンポスト５ｂを挟持できるように、ベリリウム銅、ベリリウム青銅、リン青銅などの弾性限界が鉄より大きい材料を用いて形成されている。本実施の形態のケーブルコネクタは２ピン用のものとなっている。
【００１１】
図５は、ピンヘッダ５にケーブルコネクタ４を装着した状態を示す側面図である。但し、ケーブルコネクタ４の内部を見やすくするためにハウジングを切り開いて示してある。ロッキングクリップ６をピンポスト５ｂに装着した状態でのロッキングクリップ６の加圧接触部６ｃの外径は、ケーブルコネクタ４のハウジング２の先端隆起部２ａの内径と概略一致している。従って、ピンヘッダ５にケーブルコネクタ４を装着した際には、ロッキングクリップ６の突起６ｄがハウジング２の先端隆起部２ａ内に食い込むことになる。その結果、ケーブルコネクタ４は一旦ピンヘッダ５のピンポスト５ｂに挿入されると、例え振動や衝撃が加えられても容易には脱落しないようになる。このように突起６ｄを有するロッキングクリップ６を装着するのは、５ピン用以下のケーブルコネクタ４を用いる場合のように極数が少ない場合に特に有効である。逆に、１０ピン用以上のケーブルコネクタを用いる場合のように極数が多い場合には本発明を適用することのメリットは少ない。
【００１２】
〔第２の実施の形態〕
図６は、本発明の第２の実施の形態用いられるロッキングクリップの斜視図である。第２の実施の形態用いられるロッキングクリップの断面図は図４（ｂ）と同じである。図６において、図４に示される第１の実施の形態用いられるそれと同等の部位には同一の参照符号を付し重複する説明は省略する。図６には明示されていないが、加圧接触部６ｃの頂部外周部には、図４（ｂ）に示されるように、突起６ｄが形成されている。本実施の形態用いられるロッキングクリップ６は、角が丸められた角柱形状のピンポストが用いられる場合に用いられるものであって、その角柱状のピンポストの外形に合わせて角筒に近い形状をなしている。
【００１３】
〔第３の実施の形態〕
図７（ａ）、（ｂ）は、本発明の第３の実施の形態用いられるロッキングクリップの斜視図と部分断面図である。図６において、図４に示される第１の実施の形態に用いられるロッキングクリップと同等の部位には同一の参照符号を付し重複する説明は省略する。本実施の形態に用いられるロッキングクリップ６は、第１、第２の実施の形態に用いられるそれとは異なり、スリットが形成されていない。第１、第２の実施の形態に用いられるロッキングクリップは、プレス打ち抜きされた金属板を加工したものであるが、本実施の形態に用いられるロッキングクリップは、円筒状の金属部材をプレス機を用いて加工したものである。本実施の形態に用いられるロッキングクリップ６の加圧接触部６ｃでの内径は、ピンポスト５ｂの径より若干狭くなされている。
【００１４】
以上、本発明の好ましい実施の形態について説明したが、本発明はこれらの実施の形態に限定されるものではなく、発明の要旨を逸脱しない範囲内において適宜の変更が可能なものである。例えば、ケーブル心線とコンタクト部材との接続方法は、はんだ付けやろう付けであってもよい。また、ロッキング部材とケーブルコネクタのハウジングとの係止方法は、ロッキング部材の突起部がハウジング隆起部に食い込む方式に代え、ハウジング隆起部の縦方向の高さがロッキングクリップの高さと略等しくなるようにして、ロッキング部材の突起部がハウジング隆起部のなす段差部に係合するようにしてもよい。
【図面の簡単な説明】
【００１５】
【図１】本発明の第１の実施の形態のケーブルコネクタの挿入前の状態を、ハウジングを切り開いて示す側面図。
【図２】本発明の第１の実施の形態のケーブルコネクタに用いられるコンタクト部材の斜視図。
【図３】本発明の第１の実施の形態のケーブルコネクタに用いられるコンタクト部材の斜視図。
【図４】本発明の第１の実施の形態用いられるロッキングクリップの斜視図と断面図。
【図５】本発明の第１の実施の形態のケーブルコネクタの挿入時の状態を、ハウジングを切り開いて示す側面図。
【図６】本発明の第１の実施の形態用いられるロッキングクリップの斜視図と断面図。
【図７】本発明の第１の実施の形態用いられるロッキングクリップの斜視図と断面図。
【図８】従来例の斜視図。
【符号の説明】
【００１６】
１  コンタクト部材
１ａ  コンタクト部
１ｂ  ケーブル把持部
１ｃ  ケーブル接続部
２  ハウジング
２ａ  先端隆起部
２ｂ  ピン挿入口
２ｃ  窓
３  ケーブル
４  ケーブルコネクタ
５  ピンヘッダ
５ａ  基材
５ｂ  ピンポスト
６  ロッキングクリップ
６ａ  スリット
６ｂ  ガイド部
６ｃ  加圧接触部
６ｄ  突起
【図１】
0005018554.tif 000002
【図２】
0005018554.tif 000003
【図３】
0005018554.tif 000004
【図４】
0005018554.tif 000005
【図５】
0005018554.tif 000006
【図６】
0005018554.tif 000007
【図７】
0005018554.tif 000008
【図８】
0005018554.tif 000009